(57)【要約】【課題】ユーザ毎に最適化されたコンテンツを提供する。【解決手段】第１サイトを閲覧したユーザの閲覧履歴を第１サイトのユーザＩＤに紐づけて生成する手段と、第２サイトを閲覧したユーザの閲覧履歴を第２サイトのユーザＩＤに紐づけて生成する手段と、第１サイト及び／又は第２サイトを介して第３サイトが提供するサービスを利用するユーザの行動履歴を第３サイトのユーザＩＤに紐づけて生成する手段と、同一ユーザが保有する第１サイトのユーザＩＤと第２サイトのユーザＩＤとを関連づける関連情報を記憶する手段と、第１サイトにアクセスしたユーザの携帯端末装置にコンテンツを配信する手段とを備え、配信手段は、関連情報を参照することにより同一ユーザに紐づく第１サイトの閲覧履歴、第２サイトの閲覧履歴及び第３サイトの行動履歴を特定し、所定の抽出条件を参照してコンテンツを抽出する。【選択図】図１
2012014652.tif 000002
【特許請求の範囲】
【請求項１】
ユーザの端末装置に複数のサイトを介してコンテンツを提供するコンテンツ配信システムであって、
第１サイトを閲覧したユーザの閲覧履歴を、当該第１サイトのユーザＩＤに紐づけて生成する第１閲覧履歴生成手段と、
第２サイトを閲覧したユーザの閲覧履歴を、当該第２サイトのユーザＩＤに紐づけて生成する第２閲覧履歴生成手段と、
前記第１サイト及び／又は第２サイトを介して第３サイトが提供するサービスを利用する前記ユーザの行動履歴を、前記第１サイト及び／又は第２サイトのユーザＩＤに対応づけられた当該第３サイトのユーザＩＤに紐づけて生成する行動履歴生成手段と、
同一ユーザが保有する前記第１サイトのユーザＩＤと前記第２サイトのユーザＩＤとを関連づける関連情報を記憶するＩＤ情報記憶手段と、
前記第１サイトにアクセスした前記ユーザの端末装置にコンテンツを配信するコンテンツ配信手段と、を備え、
前記コンテンツ配信手段は、
前記関連情報を参照することにより同一ユーザに紐づく前記第１サイトの閲覧履歴、前記第２サイトの閲覧履歴及び前記第３サイトの行動履歴を特定し、当該特定した前記第１サイトの閲覧履歴、前記第２サイトの閲覧履歴及び前記第３サイトの行動履歴に基づいて、所定の抽出条件を参照することにより、前記ユーザの端末装置に配信するコンテンツを複数のコンテンツの中から抽出する抽出手段と、
前記抽出したコンテンツを前記ユーザの端末装置へ送信する送信手段と、
を備えることを特徴とするコンテンツ配信システム。
【請求項２】
前記関連情報は、
前記端末装置が、当該端末装置を一意的に識別する端末装置識別情報を前記コンテンツ配信システムへ送信する場合に、前記第１サイトへのアクセスに含まれる前記端末装置識別情報と前記第１サイトのユーザＩＤとを関連づけた情報と、前記第２サイトへのアクセスに含まれる前記端末装置識別情報と前記第１サイトのユーザＩＤとを関連づけた情報と、を含むことを特徴とする請求項１に記載のコンテンツ配信システム。
【請求項３】
前記関連情報は、
前記ユーザが指定した前記第１サイトのオープンＩＤと前記第２のサイトのユーザＩＤとの対応関係を表す情報を含み、前記第１サイトのオープンＩＤは、前記第１のサイトのユーザＩＤに紐づけられていることを特徴とする請求項１に記載のコンテンツ配信システム。
【請求項４】
前記第１閲覧履歴生成手段又は前記第２閲覧履歴生成手段は、
前記ユーザの属性を複数の閲覧カテゴリに分類した場合の当該閲覧カテゴリ別に、当該ユーザの閲覧回数をカウントすることにより前記第１閲覧履歴情報又は前記第２閲覧履歴情報を生成し、
前記行動履歴生成手段は、
前記ユーザによる前記第３サイトが提供するサービスの利用を通じて、前記ユーザの属性を複数の行動カテゴリに分類した場合の当該行動カテゴリ別に、当該ユーザの行動回数をカウントすることにより前記行動履歴情報を生成することを特徴とする請求項１乃至３いずれか１項に記載のコンテンツ配信システム。
【請求項５】
前記抽出手段は、
前記第１サイトの前記閲覧カテゴリ別の閲覧回数、前記第２サイトの前記閲覧カテゴリ別の閲覧回数、及び前記第３サイトの前記行動カテゴリ別の行動回数の合計回数に基づいて、抽出条件を参照することにより、前記ユーザの端末装置に配信するコンテンツを複数のコンテンツの中から抽出することを特徴とする請求項４に記載のコンテンツ配信システム。
【請求項６】
ユーザの端末装置に複数のサイトを介してコンテンツを提供するコンテンツ配信システムにおけるコンテンツ配信方法であって、
第１サイトを閲覧したユーザの閲覧履歴を、当該第１サイトのユーザＩＤに紐づけて生成する第１閲覧履歴生成ステップと、
第２サイトを閲覧したユーザの閲覧履歴を、当該第２サイトのユーザＩＤに紐づけて生成する第２閲覧履歴生成ステップと、
前記第１サイト及び／又は第２サイトを介して第３サイトが提供するサービスを利用する前記ユーザの行動履歴を、前記第１サイト及び／又は第２サイトのユーザＩＤに対応づけられた当該第３サイトのユーザＩＤに紐づけて生成する行動履歴生成ステップと、
前記第１サイトにアクセスした前記ユーザの端末装置にコンテンツを配信するコンテンツ配信ステップと、を備え、
前記コンテンツ配信ステップは、
同一ユーザが保有する前記第１サイトのユーザＩＤと前記第２サイトのユーザＩＤとを関連づける関連情報を参照することにより、同一ユーザに紐づく前記第１サイトの閲覧履歴、前記第２サイトの閲覧履歴及び前記第３サイトの行動履歴を特定し、当該特定した前記第１サイトの閲覧履歴、前記第２サイトの閲覧履歴及び前記第３サイトの行動履歴に基づいて、所定の抽出条件を参照することにより、前記ユーザの端末装置に配信するコンテンツを複数のコンテンツの中から抽出する抽出ステップと、
前記抽出したコンテンツを前記ユーザの端末装置へ送信する送信ステップと、
を備えることを特徴とするコンテンツ配信方法。
【発明の詳細な説明】
【技術分野】
【０００１】
本発明は、コンテンツを配信する情報処理技術に関し、特に、各種履歴情報に基づいてコンテンツをユーザの端末装置に配信する情報処理技術に関する。
【背景技術】
【０００２】
ネットワーク上の情報を閲覧するユーザの履歴情報等を利用して広告を配信する技術が知られている。このような広告配信の技術の一例として、下記特許文献１（特開２００８−９７５４５号公報）には、携帯電話端末と携帯サイトサーバとの間で送受信された送受信情報を携帯電話端末の識別情報に関連付けて利用者履歴情報として蓄積し、当該蓄積した利用者履歴情報に基づいて複数の広告情報の中から所定の広告情報を抽出し、当該抽出した広告情報を携帯電話端末に提供する広告情報提供方法が記載されている。
【先行技術文献】
【特許文献】
【０００３】
【特許文献１】特開２００８−９７５４５号公報
【発明の概要】
【発明が解決しようとする課題】
【０００４】
ところで、ネットワークを介してユーザに情報検索等のサービスを提供するサイトの中には、サービスの利用開始時にログイン認証をユーザに要求し、ユーザＩＤやパスワードなどを予め登録させるものがある。このようなサイトでは、ユーザＩＤ毎にユーザの履歴情報を管理している場合が多い。従って、ユーザが複数のサイトを並行して利用するような場合には、ユーザの履歴情報は、これら各サイトのユーザＩＤ毎に生成される。
【０００５】
一方、あるサイトがユーザに対して広告等のコンテンツを配信する場合、例えば、当該サイトのユーザＩＤ毎に蓄積されている履歴情報に基づいて広告を配信することが考えられる。しかし、ユーザが複数のサイトを並行して利用する場合、サイトの利用形態に偏りが生じる場合がある。例えば、一のサイトでは、自動車のページを多く閲覧し、他のページはほとんど閲覧しないユーザが、他のサイトでは、自動車のページをほとんど閲覧せずに、子供服やアウトドアのページを多く閲覧している場合がある。このような場合、一のサイトの閲覧履歴にのみ基づいて広告を配信すると、自動車の広告ばかりが配信され、子供服やアウトドアに関する広告は配信されず、ウェブページを閲覧するユーザの実情に沿った最適な広告を配信しているとはいえないという問題がある。
【０００６】
従って、ユーザが本当に興味を持っている事項を高い精度で推測するためには、複数のユーザＩＤに分散して管理されるこれらの履歴情報をまとめて利用することが望ましい。その結果、ユーザ毎に最適化された広告を提供することも可能になる。
【０００７】
また、例えば、釣りに関するページの閲覧は多いけれども、実際には出かけないユーザがいる一方で、釣りに関するページの閲覧は少ないけれども、週に１度は釣りに出かけるユーザがいる場合もある。このような場合に、釣りに関するページの閲覧履歴のみに基づいて広告を配信すると、閲覧は多いが実際には出かけないユーザに対して広告が配信される一方、閲覧は少ないが週に１度は釣りに出かけているユーザに対しては広告が配信されないこととなり、ユーザの実生活における行動（特に、移動を伴う行動）に沿った最適な広告を配信しているとはいえないという問題がある。
【０００８】
従って、ページの閲覧情報に加えて、例えばユーザが週に１度は釣りに出かけているなどのユーザの実生活における行動（特に、移動を伴う行動）を考慮して、ユーザに提供する広告を特定して配信することができれば望ましい。
【０００９】
しかしながら、上記特許文献１には、携帯電話端末と携帯サイトサーバとの間で送受信された送受信情報に基づいて、所定の広告情報を抽出することを開示するものの、上述したような課題については、何ら検討されていない。
【００１０】
したがって、本発明は、ユーザＩＤ毎に管理されるユーザの履歴情報をまとめて利用することにより、ユーザ毎に最適化されたコンテンツを提供することができるコンテンツ配信システムを提供することにある。
【００１１】
また、本発明は、ページの閲覧履歴とユーザの実生活における行動（特に、移動を伴う行動）の双方を考慮することにより、ユーザ毎に最適化されたコンテンツを提供することができるコンテンツ配信システムを提供することにある。
【課題を解決するための手段】
【００１２】
本発明に係るコンテンツ配信システムは、ユーザの端末装置に複数のサイトを介してコンテンツを提供するコンテンツ配信システムであって、第１サイトを閲覧したユーザの閲覧履歴を、当該第１サイトのユーザＩＤに紐づけて生成する第１閲覧履歴生成手段と、第２サイトを閲覧したユーザの閲覧履歴を、当該第２サイトのユーザＩＤに紐づけて生成する第２閲覧履歴生成手段と、前記第１サイト及び／又は第２サイトを介して第３サイトが提供するサービスを利用する前記ユーザの行動履歴を、前記第１サイト及び／又は第２サイトのユーザＩＤに対応づけられた当該第３サイトのユーザＩＤに紐づけて生成する行動履歴生成手段と、同一ユーザが保有する前記第１サイトのユーザＩＤと前記第２サイトのユーザＩＤとを関連づける関連情報を記憶するＩＤ情報記憶手段と、前記第１サイトにアクセスした前記ユーザの端末装置にコンテンツを配信するコンテンツ配信手段と、を備え、前記コンテンツ配信手段は、前記関連情報を参照することにより同一ユーザに紐づく前記第１サイトの閲覧履歴、前記第２サイトの閲覧履歴及び前記第３サイトの行動履歴を特定し、当該特定した前記第１サイトの閲覧履歴、前記第２サイトの閲覧履歴及び前記第３サイトの行動履歴に基づいて、所定の抽出条件を参照することにより、前記ユーザの端末装置に配信するコンテンツを複数のコンテンツの中から抽出する抽出手段と、前記抽出したコンテンツを前記ユーザの端末装置へ送信する送信手段と、を備えることを特徴とするコンテンツ配信システム。
【００１３】
前記関連情報は、前記端末装置が、当該端末装置を一意的に識別する端末装置識別情報を前記コンテンツ配信システムへ送信する場合に、前記第１サイトへのアクセスに含まれる前記端末装置識別情報と前記第１サイトのユーザＩＤとを関連づけた情報と、前記第２サイトへのアクセスに含まれる前記端末装置識別情報と前記第１サイトのユーザＩＤとを関連づけた情報と、を含むことを特徴とする。
【００１４】
前記関連情報は、前記ユーザが指定した前記第１サイトのオープンＩＤと前記第２のサイトのユーザＩＤとの対応関係を表す情報を含み、前記第１サイトのオープンＩＤは、前記第１のサイトのユーザＩＤに紐づけられていることを特徴とする。
【００１５】
前記第１閲覧履歴生成手段又は前記第２閲覧履歴生成手段は、前記ユーザの属性を複数の閲覧カテゴリに分類した場合の当該閲覧カテゴリ別に、当該ユーザの閲覧回数をカウントすることにより前記第１閲覧履歴情報又は前記第２閲覧履歴情報を生成し、前記行動履歴生成手段は、前記ユーザによる前記第３サイトが提供するサービスの利用を通じて、前記ユーザの属性を複数の行動カテゴリに分類した場合の当該行動カテゴリ別に、当該ユーザの行動回数をカウントすることにより前記行動履歴情報を生成することを特徴とする。
【００１６】
前記抽出手段は、前記第１サイトの前記閲覧カテゴリ別の閲覧回数、前記第２サイトの前記閲覧カテゴリ別の閲覧回数、及び前記第３サイトの前記行動カテゴリ別の行動回数の合計回数に基づいて、抽出条件を参照することにより、前記ユーザの端末装置に配信するコンテンツを複数のコンテンツの中から抽出することを特徴とする。
【００１７】
本発明に係るコンテンツ配信方法は、ユーザの端末装置に複数のサイトを介してコンテンツを提供するコンテンツ配信システムにおけるコンテンツ配信方法であって、第１サイトを閲覧したユーザの閲覧履歴を、当該第１サイトのユーザＩＤに紐づけて生成する第１閲覧履歴生成ステップと、第２サイトを閲覧したユーザの閲覧履歴を、当該第２サイトのユーザＩＤに紐づけて生成する第２閲覧履歴生成ステップと、前記第１サイト及び／又は第２サイトを介して第３サイトが提供するサービスを利用する前記ユーザの行動履歴を、前記第１サイト及び／又は第２サイトのユーザＩＤに対応づけられた当該第３サイトのユーザＩＤに紐づけて生成する行動履歴生成ステップと、前記第１サイトにアクセスした前記ユーザの端末装置にコンテンツを配信するコンテンツ配信ステップと、を備え、前記コンテンツ配信ステップは、同一ユーザが保有する前記第１サイトのユーザＩＤと前記第２サイトのユーザＩＤとを関連づける関連情報を参照することにより、同一ユーザに紐づく前記第１サイトの閲覧履歴、前記第２サイトの閲覧履歴及び前記第３サイトの行動履歴を特定し、当該特定した前記第１サイトの閲覧履歴、前記第２サイトの閲覧履歴及び前記第３サイトの行動履歴に基づいて、所定の抽出条件を参照することにより、前記ユーザの端末装置に配信するコンテンツを複数のコンテンツの中から抽出する抽出ステップと、前記抽出したコンテンツを前記ユーザの端末装置へ送信する送信ステップと、を備えることを特徴とする。
【００１８】
また、本発明は、上記各ステップをコンピュータに実行させるためのプログラムとしても成立する。このプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１９】
また、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００２０】
本発明によれば、ユーザ毎に最適化されたコンテンツを提供することができるコンテンツ配信システムを提供することが可能になる。
【図面の簡単な説明】
【００２１】
【図１】第１実施形態に係る広告配信システムの概略構成を示すブロック図である。
【図２】第１実施形態に係る携帯端末の概略構成を示すブロック図である。
【図３】第１実施形態に係るユーザＩＤＤＢのデータ構造の一例を示す図である。
【図４】第１実施形態に係る閲覧履歴ＤＢ、行動履歴ＤＢ及び配信条件のデータ構造の一例を示す図である。
【図５】第１実施形態に係るユーザ端末に表示される画面の一例を説明する図である。
【図６】第１実施形態に係る広告配信処理の全体の流れの一例を示すフローチャートである。
【図７】第１実施形態に係る広告配信処理の結果の一例を説明するための図である。
【図８】第２実施形態に係る広告配信システムの概略構成を示すブロック図である。
【図９】第２実施形態に係るユーザＩＤＤＢのデータ構造の一例を示す図である。
【図１０】第２実施形態に係る広告配信処理の全体の流れの一例を示すフローチャートである。
【発明を実施するための形態】
【００２２】
以下、本発明の各実施形態について、図面を参照しつつ詳細に説明する。各記載において、同一の要素には同一の符号を付し、重複する説明を省略する。なお、各実施形態では、一例として、本発明に係るコンテンツ配信システムを広告配信システムに適用する場合について説明する。
【００２３】
［第１の実施形態］
［広告配信システムの構成］
図１は、本実施形態に係る広告配信システムの概略構成の一例を示すブロック図である。広告配信システム１００は、サーバＡ２０と、サーバＢ３０と、サーバＣ４０とを含み、ネットワークＮ（例えば、インターネット、ＬＡＮ、専用線、パケット通信網、電話回線、企業内ネットワーク、その他の通信回線、それらの組み合わせ等のいずれであってもよく、有線であるか無線であるかを問わない。）を介してユーザの携帯移動端末装置（以下、「携帯端末」という。）１０と相互に通信可能に接続されている。
【００２４】
サーバＡ２０及びサーバＢ３０は、ユーザによる情報閲覧がログイン認証により利用可能となるサイト（サイトＡ及びサイトＢ）を内部に構築し、各サイトのユーザＩＤ毎に当該ユーザのサイトの閲覧履歴をそれぞれ生成する。サーバＡ２０及びサーバＢ３０は、サイトによる情報提供のほか広告配信を行うこともできるが、本実施形態では、一例として、サーバＡ２０が広告配信を行う場合について説明する。
【００２５】
また、サイトＡ及びサイトＢは、ユーザが希望する場合は、例えば、オープンＩＤ等の従来技術を利用して、双方向又は少なくとも一方向について、一のサイトのユーザＩＤを利用して他のサイトにログイン可能に構成されている。すなわち、他のサイトのユーザＩＤと一のサイトのユーザＩＤとは予め関連づけられている。本実施形態では、一例として、サイトＡのユーザＩＤを利用してサイトＢにログインする場合について説明する。
【００２６】
サーバＣ４０は、ログイン認証を有する他のサイトを介してサービスを提供するサイト（サイトＣ）を内部に構築し、当該サービスを通じてユーザの行動履歴をサイトＣのユーザＩＤ毎に生成する。サイトＣは、ログイン認証を有する他のサイトを介してサービスを提供するにあたり、当該他のサイトのユーザＩＤとサイトＣのユーザＩＤとを１対１で関連づけて管理する。なお、サイトＣは、サイトＡ及び／又はサイトＢを介してユーザにサービスを提供することができるが、ここでは、一例として、サイトＢを介して地図情報検索やルート検索等のサービスを提供し、当該サービスの利用履歴に基づいて当該ユーザの行動履歴を生成する場合について説明する。
【００２７】
ここで、閲覧履歴とは、ユーザがウェブページを閲覧した履歴であり、その内容は仕様に応じて適宜設定することができるが、例えば、ユーザが閲覧したウェブページのアドレス、内容、閲覧回数、閲覧時刻、入力キーワードなどを含むことができる。本実施形態の閲覧履歴は、一例として、ユーザの属性を複数の閲覧カテゴリ（例えば、自動車、不動産、アウトドア、子供）に分類した場合の当該閲覧カテゴリ別に閲覧回数等をカウントしたものが該当する。
【００２８】
一方、行動履歴とは、ユーザの行動（移動）に関する履歴であり、日常生活における行動生活圏の情報を含むものである。例えば、本実施形態の行動履歴は、ユーザの属性を複数の行動カテゴリ（例えば、自動車、不動産、アウトドア、子供）に分類した場合の当該行動カテゴリ別にユーザの行動回数をカウントしたもの及び行動生活圏（領域）が該当する。なお、本実施形態では、行動カテゴリは、閲覧カテゴリと同様のものが設定されているが、カテゴリの内容は仕様や設計に応じて適宜設定することが可能である。
【００２９】
なお、各サーバは、図示してはいないが、ＣＰＵ、ＲＯＭやＲＡＭ等のメモリ、各種の情報を格納する外部記憶装置、入出力インタフェース、通信インタフェース及びこれらを結ぶバスを備える専用又は汎用のサーバ・コンピュータを適用することができ、例えば、ＣＰＵがＲＯＭ等に格納された所定のプログラムを実行することにより、後述する各機能実現手段として機能する。また、各サーバは、単一のコンピュータより構成されるものであっても、ネットワーク上に分散した複数のコンピュータより構成されるものであってもよい。以下、各サーバの具体的構成について説明する。
【００３０】
サーバＡ２０は、主制御手段２０１、ログイン手段２０３、情報提供手段２０４、閲覧履歴生成手段２０５、他サイト履歴取得手段２０６、広告抽出手段２０７、広告送信手段２０８、通信手段２０９及び記憶手段２１０等の各種機能実現手段を含んでいる。なお、広告抽出手段２０７と広告送信手段２０８、広告配信手段とも呼ばれる。
【００３１】
主制御手段２０１は、サーバＡ２０の動作全体及び上述した各手段の動作を制御する。
【００３２】
ログイン手段２０３は、ログイン情報（ユーザ認証情報）に基づいてユーザを認証するログイン処理（ユーザ認証処理）を実行し、ログイン成功の場合は、サイトＡへのアクセスを許可し、ログイン失敗の場合は、サイトＡへのアクセスを禁止する。ログイン処理の内容は、仕様に応じて適宜設定することができるが、例えば、ユーザが予め設定したサイトＡのユーザＩＤ及びパスワードと、アクセスの際にユーザが入力したユーザＩＤ及びパスワードを照合し、両者が一致する場合はログイン成功、両者が不一致の場合はログイン失敗と判定することができる。
【００３３】
なお、本実施形態では、サイトＡのユーザＩＤは、サイトＢのログインＩＤと関連付けられており、サイトＡのユーザＩＤを用いて、サイトＢへログインすることができる。サイトＡのユーザＩＤによるサイトＢへのログイン方法については、特に限定はないが、例えば、オープンＩＤなどの従来技術を適用することができる。オープンＩＤについては、後述する。
【００３４】
情報提供手段２０４は、ユーザの携帯端末１０から送信される閲覧要求に応じて、記憶手段２１０に記憶されているサイトＡの情報を、ユーザの携帯端末１０に送信する。
【００３５】
閲覧履歴生成手段２０５は、ユーザがサイトＡの情報を閲覧した履歴（以下、「閲覧履歴Ａ」という。）を、サイトＡのユーザＩＤ毎に生成し、生成した閲覧履歴ＡをユーザＩＤと対応付けて記憶手段２１０に格納する。閲覧履歴Ａの内容については、後述する。
【００３６】
他サイト履歴取得手段２０６は、ユーザがサイトＡ以外の他のサイトを利用した場合に当該他のサイトによって生成されるユーザの履歴（以下「他サイト履歴」という。）を、サイトＡのユーザＩＤ又は当該サイトＡのユーザＩＤに紐づけられた他のサイトのユーザＩＤを利用して、ネットワークＮを介して他のサーバから取得する。
【００３７】
他サイト履歴の内容は、仕様に応じて適宜設定することができるが、例えば、ユーザがサイトＢを閲覧することによりサイトＢにて生成された閲覧履歴（以下、「他サイト閲覧履歴」という。）や、ユーザがサイトＢ経由でサイトＣを利用することにより、サイトＣにて生成されたユーザの行動履歴（以下、「他サイト行動履歴」という。）などが該当する。なお、サイトＢの閲覧履歴及びサイトＣの行動履歴は、例えば、サイトＡのユーザＩＤを一意的に特定可能なサイトＣのユーザＩＤに紐づいているので、サーバＡ２０又はサーバＣ４０は、ユーザＩＤＤＢの関連情報を参照することにより、サイトＡのユーザＩＤに紐づけ直すことができる。
【００３８】
広告抽出手段２０７は、ユーザの各種履歴に基づいて所定の抽出条件を参照することにより、当該ユーザに最適な広告を、記憶手段２１０の広告情報ＤＢから抽出する。ユーザの各種履歴には、自己サイトであるサイトＡの閲覧履歴のほか、他サイトにて蓄積された他サイト履歴（例えば、サイトＢの閲覧履歴及びサイトＣの行動履歴）も含まれる。これら他のサイトの履歴をサイトＡのユーザＩＤに紐づけ直すことにより、同一ユーザのユーザＩＤ毎に履歴を参照することができる。なお、広告抽出の具体的な内容については、後述する。
【００３９】
広告送信手段２０８は、広告抽出手段２０７が広告情報ＤＢより抽出した広告を、該当するユーザの携帯端末１０へ配信する。広告配信方法は、仕様に応じて適宜設定することができるが、例えば、ユーザがサイトＡにログインしたタイミングで当該抽出した広告を含むウェブページをユーザの携帯端末１０に表示したり、所定のタイミングでユーザのメールアドレスに当該抽出した広告を含むメールを送信したりすることができる。
【００４０】
通信手段２０９は、ネットワークＮを介して携帯端末１０及び他のサーバと通信することにより各種情報を相互に送受信するためのインタフェースである。通信手段２０９は、例えば、ネットワークインタフェースカード（ＮＩＣ）やＴＣＰ／ＩＰドライバ等の既存の通信モジュールを有している。
【００４１】
記憶手段２１０は、情報提供及び広告配信に関する各種情報を記憶する記憶装置であり、例えばデータベース（ＤＢ）としての機能を有する。具体的には、記憶手段２１０は、ユーザＩＤＤＢ、サイト情報ＡＤＢ、閲覧履歴ＡＤＢ、抽出条件ＤＢ、広告情報ＤＢなどのデータベースを有する。
【００４２】
ユーザＩＤＤＢは、ＡサイトのユーザＩＤと、当該ＡサイトのＩＤに一意的に対応するＢサイトのユーザＩＤとを、関連づけた関連情報を格納している。また、ＡサイトのユーザＩＤと、当該ＡサイトのＩＤに一意的に対応するＣサイトのユーザＩＤとを、関連づけた関連情報を格納している。例えば、図３（Ａ）には、ユーザＩＤＤＢの一例として、サイトＡのユーザＩＤとサイトＢのユーザＩＤとを対応付けて格納する様子と、サイトＡのユーザＩＤとサイトＣのユーザＩＤとを対応付けて格納する様子と、を示している。なお、サイトＡのユーザＩＤには、ユーザがサイトＡにログインする際に使用するユーザＩＤ及び当該ユーザＩＤに基づいて一意的に特定可能な情報（例えば、ＵＲＬ形式のオープンＩＤ等）の両方が含まれる。
【００４３】
サイト情報ＡＤＢは、サイトＡを介して提供する各種情報を記憶するデータベースである。サイト情報Ａの内容は、仕様や設計に応じて適宜設定することができるが、例えば、「自動車」、「不動産」、「アウトドア」、「子供」などの項目に分類される、動画、静止画、テキスト、音声等を含むウェブページ等が該当する。
【００４４】
閲覧履歴ＡＤＢは、ユーザがサイト情報Ａを閲覧した際の閲覧履歴Ａを記憶するデータベースである。閲覧履歴ＡＤＢのデータ構成は、仕様や設計に応じて適宜設定することができるが、例えば、図４（Ａ）に示すように、サイトＡのユーザＩＤと、ユーザの属性を複数の閲覧カテゴリに分類した場合の当該閲覧カテゴリに該当する各項目の（例えば、自動車、不動産、アウトドア、子供）の閲覧回数とを対応付けたものが該当する。
【００４５】
抽出条件ＤＢは、ユーザの携帯端末１０に配信する広告を広告情報から抽出するための条件を記憶するデータベースである。抽出条件は、仕様や設計に応じて適宜設定することができるが、例えば、図４（Ｄ）に示すように、閲覧カテゴリや行動カテゴリに該当する各項目（例えば、自動車、不動産、アウトドア、子供、行動圏）の閲覧回数/行動回数に関する所定の閾値と、当該所定の閾値を満たす場合に配信すべきコンテンツの配信リスト及びコンテンツ名と、を対応付けたものが該当する。
【００４６】
広告情報ＤＢは、ユーザの携帯端末１０に配信する広告情報（コンテンツ）を記憶するデータベースである。広告情報の内容は、仕様や設計に応じて適宜設定することができるが、例えば、「自動車」、「不動産」、「アウトドア」、「子供」などの項目ごとに分類される広告データが該当する。
【００４７】
サーバＢ（第２サーバ）３０は、主制御手段３０１、ログイン手段３０３、情報提供手段３０４、閲覧履歴生成手段３０５、閲覧履歴送信手段３０６、通信手段３０７及び記憶手段３０８等の各種機能実現手段を含んでいる。なお、主制御手段３０２及び通信手段３０７は、サーバＡ２０の主制御手段２０１及び通信手段２０９と同等の構成を有するため、説明を省略する。
【００４８】
ログイン手段３０３は、サイトＢのユーザＩＤを用いてログイン処理を実行するものであり、他サイトであるサイトＡのユーザＩＤを用いてログインをすることが可能な点を除いて、サーバＡ２０のログイン手段２０３と同等の構成を有する。他サイトであるサイトＡのユーザＩＤを用いてサイトＢにログインする方法は、サイトＡのユーザＩＤとサイトＢのユーザＩＤとを予め関連づけた関連情報を記憶しておき、サイトＡのユーザＩＤが入力された場合に、当該関連情報を参照することにより、サイトＡのユーザＩＤに対応するサイトＢのユーザＩＤを特定することができる。サイトＡのユーザＩＤとサイトＢのユーザＩＤとを予め関連づける方法については、特に限定はないが、例えば、オープンＩＤなどの従来技術を適用することができる。オープンＩＤについては、後述する。
【００４９】
情報提供手段３０４は、ユーザの携帯端末１０から送信される閲覧要求に応じて、記憶手段３０８に記憶されているサイトＢの情報を、ユーザの携帯端末１０に送信する。
【００５０】
閲覧履歴生成手段３０５は、ユーザがサイトＢの情報を閲覧した履歴（以下、「閲覧履歴Ｂ」という。）を、サイトＢのユーザＩＤ毎に生成し、生成した閲覧履歴Ｂを記憶手段３０８に格納する。閲覧履歴Ｂの内容については、後述する。
【００５１】
閲覧履歴送信手段３０６は、閲覧履歴生成手段３０５が生成した閲覧履歴Ｂを、サイトＢのユーザＩＤと紐づけてサーバＣ４０へ送信する。
【００５２】
記憶手段３０８は、情報提供及び広告配信に関する各種情報を記憶する記憶装置であり、例えばデータベース（ＤＢ）としての機能を有する。具体的には、記憶手段３０８は、ユーザＩＤＤＢ、サイト情報ＢＤＢ、閲覧履歴ＢＤＢなどのデータベースを有する。
【００５３】
ユーザＩＤＤＢは、ＢサイトのユーザＩＤと、当該ＢサイトのＩＤに一意的に対応するＡサイトのユーザＩＤとを、関連づけた関連情報を格納している。例えば、図３（Ｂ）には、ユーザＩＤＤＢの一例として、サイトＢのユーザＩＤとサイトＡのユーザＩＤとを対応付けて格納する様子を示している。なお、サイトＢのユーザＩＤには、ユーザがサイトＢにログインする際に使用するユーザＩＤ及び当該ユーザＩＤに基づいて一意的に特定可能な情報（例えば、ＵＲＬ形式のオープンＩＤ等）の両方が含まれる。
【００５４】
サイト情報ＢＤＢは、サイトＢを介してサーバＢが提供する各種情報を記憶するデータベースである。サイト情報ＢＤＢのデータ構造は、仕様や設計に応じて適宜設定することができるが、例えば、「自動車」、「不動産」、「アウトドア」、「子供」などの項目に分類される動画、静止画、テキスト、音声等を含むウェブページ等が該当する。
【００５５】
閲覧履歴ＢＤＢは、ユーザがサイト情報Ｂを閲覧した際の閲覧履歴Ｂを記憶するデータベースである。閲覧履歴ＢＤＢのデータ構成は、仕様や設計に応じて適宜設定することができるが、例えば、図４（Ｂ）に示すように、サイトＢのユーザＩＤと、各項目の（例えば、自動車、不動産、アウトドア、子供、行動圏）の閲覧回数とを対応付けたものが該当する。
【００５６】
サーバＣ（第３サーバ）４０は、主制御手段４０１、ＩＤ紐付手段４０２、情報提供手段４０３、行動履歴生成手段４０４、ログインサイト閲覧履歴取得手段４０５、他サイト履歴送信手段４０６、通信手段４０７及び記憶手段４０８等の各種機能実現手段を含んでいる。なお、主制御手段４０１及び通信手段４０８は、サーバＡ２０の主制御手段２０２及び通信手段２０９と同等の構成を有するため、説明を省略する。
【００５７】
ＩＤ紐付手段４０２は、ログインサイトであるサイトＢのユーザＩＤに一意的に対応するサイトＣのユーザＩＤを生成し、両者を紐づける。紐づけられた情報は、関連情報としてユーザＩＤＤＢに格納される。
【００５８】
情報提供手段４０３は、ユーザの携帯端末１０から送信される閲覧要求に応じて、記憶手段４０７に記憶されているサイトＣの情報を、ユーザの携帯端末１０に送信する。
【００５９】
行動履歴生成手段４０４は、ユーザ毎に行動履歴を生成し、生成した行動履歴を記憶手段４０８に格納する。行動履歴は、上述したように、ユーザの行動（移動）に関する履歴であり、日常生活における行動生活圏の情報を含む。例えば、本実施形態の行動履歴は、ユーザの属性を複数の行動カテゴリ（例えば、自動車、不動産、アウトドア、子供）に分類した場合の当該行動カテゴリ別に行動回数をカウントしたもの及び行動生活圏が該当する。なお、本実施形態の行動履歴は、実際の行動が伴わなくとも、地図やナビゲーションなどの位置情報サービスにおいて、お気に入り地点の登録や地点の検索などのＰＯＩ（Point Of Interest）の利用情報に基づいて生成することができる。例えば、行動カテゴリ別の行動回数（例えば、自動車の販売店を訪問した回数、キャンプ場へ行った回数など）は、ユーザが地図情報を検索した際の目的地と検索回数、ルート検索を行った際の出発地及び目的地と検索回数、ユーザがお気に入り登録した場所、及びユーザの携帯端末から送信される日々の測位情報等に基づいて、決定することができる。また、行動生活圏は、例えば、ユーザの携帯端末から送信される日々の測位情報を利用して、地図の所定領域における所定期間内の測位回数、滞在時間、測位日数を表すデータを生成し、当該測位回数、滞在時間、測位日数が所定の閾値以上である領域を行動生活圏として抽出することができる。
【００６０】
ログインサイト閲覧履歴取得手段４０５は、ログインサイトにて生成されたユーザの閲覧履歴を当該サイトのユーザＩＤと関連づけた状態で当該サイトのサーバより取得する。例えば、サイトＢにて生成されたユーザの閲覧履歴Ｂを、サイトＢのユーザＩＤと関連づけた状態でサーバ３０より取得する。
【００６１】
他サイト履歴送信手段４０６は、ログインサイト閲覧履歴取得手段４０５が取得したログインサイトの閲覧履歴Ｂを、サイトＢのユーザＩＤをサイトＣのユーザＩＤに変換することにより、サイトＣのユーザＩＤに紐づける。そして、行動履歴生成手段４０４が生成したユーザの行動履歴Ｃと、当該ログインサイトの閲覧履歴Ｂを、サイトＣのユーザＩＤにそれぞれ紐づけた状態で、サーバＡ２０へ送信する。なお、他サイト履歴送信手段４０６は、サイトＣのユーザＩＤに行動履歴Ｃや閲覧履歴Ｂを紐づけて送信する代わりに、サイトＡのユーザＩＤに行動履歴Ｃや閲覧履歴Ｂを紐づけて送信するようにしてもよい。具体的には、サイトＣのユーザＩＤに基づいて関連情報を参照することにより当該サイトＣのユーザＩＤに対応するサイトＡのユーザＩＤを特定し、この特定したサイトＡのユーザＩＤに行動履歴Ｃや閲覧履歴Ｂを紐づけて、サーバＡ２０へ送信することもできる。
【００６２】
記憶手段４０８は、広告配信に関する各種情報を記憶する記憶装置であり、例えばデータベース（ＤＢ）としての機能を有する。具体的には、記憶手段４０８は、ユーザＩＤＤＢ、サイト情報ＣＤＢ、行動履歴ＣＤＢなどのデータベースを有する。
【００６３】
ユーザＩＤＤＢは、ＣサイトのユーザＩＤと、当該ＣサイトのＩＤに一意的に対応するＢサイトのユーザＩＤ及びＡサイトのユーザＩＤとを、関連づけた関連情報として格納している。図３（Ｃ）には、ユーザＩＤＤＢの一例として、サイトＣのユーザＩＤとサイトＡのユーザＩＤとを対応付けて格納する様子を示している。なお、サイトＣのユーザＩＤには、ユーザがサイトＣにログインする際に使用するユーザＩＤ及び当該ユーザＩＤに基づいて一意的に特定可能な情報（例えば、ＵＲＬ形式のオープンＩＤ）の両方が含まれる。
【００６４】
サイト情報ＣＤＢは、サイトＣを介してサーバＣが提供する各種情報を記憶するデータベースである。サイト情報ＣＤＢのデータ構造は、仕様や設計に応じて適宜設定することができるが、例えば、「自動車」、「不動産」、「アウトドア」、「子供」などの項目に分類される動画、静止画、テキスト、音声等を含むウェブページ等が該当する。
【００６５】
行動履歴ＢＤＢは、ユーザの行動履歴Ｃを記憶するデータベースである。行動履歴ＣＤＢのデータ構成は、仕様や設計に応じて適宜設定することができるが、例えば、図４（Ｃ）に示すように、サイトＣのユーザＩＤと、行動カテゴリに該当する各項目の（例えば、自動車、不動産、アウトドア、子供、行動圏）行動回数とを対応付けて格納している。
【００６６】
［携帯端末の構成］
図１に戻り、携帯端末１０について説明する。携帯端末１０は、例えば、携帯電話機、ＰＤＡ、パーソナルコンピュータなどの従来の端末装置を適用することができる。携帯端末１０は、サイトへアクセスするためのネットワーク接続機能やＧＰＳによる現在位置測位機能を有し、携帯端末１０に固有の識別情報を有している。なお、図１では１つの携帯端末１０を記載しているが、利用形態に応じて複数の携帯端末１０を広告配信システム１００と接続することができる。
【００６７】
図２に示すように、携帯端末１０は、主制御手段１０１、通信手段１０２、表示手段１０３、操作手段１０４、記憶手段１０５、現在位置測位手段１０６、測位情報送信手段１０７などの各種機能実現手段をおもに備える。
【００６８】
主制御手段１０１は、図示しないＣＰＵ、ＲＯＭやＲＡＭ等のメモリを含むプロセッサで構成されており、ＲＯＭに記憶された所定のプログラムをＣＰＵが実行することにより携帯端末１０の各部の動作を制御する。
【００６９】
通信手段１０２は、ネットワークＮを介して広告配信システム１００との間で各種情報を送受信するためのインタフェースである。表示手段１０３は、文字や画像等の情報を表示するディスプレイであり、操作手段１０４は、ユーザからの操作指示を受け付けるボタンやタッチパネルである。また、記憶手段１０５は、各種プログラムやデータを記憶する記憶装置としてのメモリである。
【００７０】
現在位置測位手段１０６は、例えば、ＧＰＳ受信機を備え、ＧＰＳ衛星信号を所定の受信間隔で受信し処理することによって携帯端末１０の現在位置（緯度・経度）を測位する。
【００７１】
測位情報送信手段１０７は、現在位置測位手段１０６が測位した測位点および測位時刻と当該携帯端末１０を保有するユーザのユーザＩＤ及び／又は当該携帯端末１０を一意的に識別する端末識別情報とを含む測位情報を、サーバＣ４０へ送信する。
【００７２】
［広告配信処理］
次に、上記のように構成される広告配信システムによる広告配信処理の流れについて、図５のフローチャートを参照しながら説明する。なお、後述の各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００７３】
携帯端末１０は、ユーザの操作に従い、サイトＡのユーザＩＤ（Ａ−ＩＤ）を用いてサイトＢにログインするための所定の関連づけの登録を、サーバＡ２０とサーバＢ３０へ送信する（Ｓ１）。
【００７４】
サーバＡ２０は、当該関連づけ登録要求に基づいて、サイトＡのユーザＩＤ（Ａ−ＩＤ）をサイトＢのユーザＩＤ（Ｂ−ＩＤ）と関連づける（Ｓ２）。サーバＢ３０は、当該登録要求に基づいて、サイトＢのユーザＩＤ（Ｂ−ＩＤ）をサイトＡのユーザＩＤ（Ａ−ＩＤ）と関連づける（Ｓ２）。
【００７５】
本実施形態では、サイトＡのオープンＩＤを用いてサイトＢにログインする場合について以下説明する。
【００７６】
携帯端末１０は、ユーザの操作に従い、サーバＢ３０に対してアクセスすると、サーバ３０は、所定のログイン画面を携帯端末１０に送信する。図６（Ａ）には、サイトＢのログイン画面の一例が記載されている。ログイン画面では、ユーザは、「サイトＢのアカウントでログイン」するか、「サイトＡのアカウントでログイン」するかを、選択できるように構成されている。
【００７７】
ユーザが「サイトＡのアカウントでログイン」を選択すると、携帯端末１０は、サーバＢ３０に対してサイトＡのオープンＩＤを利用したログイン要求を送信する（Ｓ４）。サーバＢ３０は、サイトＡのオープンＩＤを利用したログイン要求を受け付けると、ログイン処理を実行する（Ｓ５）。例えば、サーバＡ２０に対して当該ログイン要求を送信する。サーバＡ２０は、サーバＢ３０より転送されたログイン要求を受信すると、サイトＡのユーザＩＤとパスワードを入力する所定のログイン画面を携帯端末１０に送信する。ユーザが、当該サイトＡ２０にてユーザＩＤとパスワードを入力すると、サイトＡは所定の認証処理を実行し、認証処理が成功した場合に、サイトＢへのログインを続行するか否かを確認するメッセージを表示させる。ユーザが、当該メッセージに対する確認を入力すると、サーバＡ２０は、サイトＡのユーザＩＤをサーバＢ３０へ送信する。
【００７８】
サーバＢ３０は、サイトＡのユーザＩＤを受信すると、これをサイトＢのユーザＩＤに変換する（Ｓ６）。そして、サイトＢの所定の画面を携帯端末１０へ送信する。
【００７９】
携帯端末１０は、ユーザの操作に従い、サイトＢに対して所定の情報の閲覧要求を送信し（Ｓ７）、サーバＢ３０は、閲覧要求に従ってサイト情報ＢＤＢを検索し、検索結果を携帯端末１０に提供する（Ｓ８）。また、サイトＢのユーザＩＤに紐づけてユーザの閲覧履歴Ｂを生成する（Ｓ９）。
【００８０】
図６（Ｂ）には、サイトＢの閲覧画面の一例が記載されている。閲覧画面では、ユーザは、「自動車」、「不動産」、「アウトドア」、「子供」、「地図」などに分類された各種情報を選択し閲覧できるように構成されている。なお、「地図」は、サーバＣ４０によって提供されるサービスである。
【００８１】
携帯端末１０は、ユーザの操作に従い、サイトＢの閲覧画面の「地図」を選択すると、サーバＣ４０は、「地図」を含むサイトＣの所定の閲覧画面を携帯端末１０へ送信する（Ｓ１０）。
【００８２】
図６（Ｃ）には、サイトＣの閲覧画面の一例が記載されている。閲覧画面では、ユーザは、「地図検索」、「経路検索（ルート検索）」、「お気に入り登録（ＰＯＩ登録）」、「日常圏設定」などのサービスを利用できるように構成されている。
【００８３】
サーバＣ４０は、サイトＢを介してサイトＣがユーザによって選択されると、サイトＢのユーザＩＤに一意的に対応するサイトＣのユーザＩＤが、既に生成されているか否かを判定し、判定結果が否である場合は、サイトＢのユーザＩＤに一意的に対応するサイトＣのユーザＩＤを新たに生成する（Ｓ１１）。また、サイトＢのユーザＩＤとサイトＣのユーザＩＤとを関連づけた関連情報をユーザＩＤＤＢに格納する。一方、判定結果が是である場合は、既に生成されているサイトＣのユーザＩＤを特定する（Ｓ１１）。
【００８４】
携帯端末１０は、ユーザの操作に従い、サイトＣに対して所定の情報の閲覧要求を送信し、サーバＣ４０は、閲覧要求に従ってサイト情報ＣＤＢを検索し、検索結果を携帯端末１０に提供する（Ｓ１２）。また、ユーザの行動履歴Ｃを生成し、サイトＣのユーザＩＤに紐づけて格納する（Ｓ１３）。
【００８５】
サーバＢ３０及びサーバＣ４０は、携帯端末１０から送信されるログオフ要求を受信等するまで、ユーザのサイトＢにおける閲覧履歴やサイトＣにおける行動履歴を生成する。なお、閲覧履歴や行動履歴を生成する情報は、ログオフ中に取得される情報であってもよい。例えば、携帯端末１０の位置情報は、ログオフ中に当該携帯端末１０から自動的に取得するようにしてもよい。
【００８６】
一方、携帯端末１０は、ユーザの操作に従い、サイトＡに対してログオン要求を送信すると（Ｓ１４）、サーバＡ２０は、所定のログイン処理を実行する（Ｓ１５）。
【００８７】
携帯端末１０は、ユーザの操作に従い、サイトＡに対して所定の情報の閲覧要求を送信し（Ｓ１６）、サーバＡ２０は、閲覧要求に従ってサイト情報ＡＤＢを検索し、検索結果を携帯端末１０に提供する（Ｓ１７）。また、サイトＡのユーザＩＤに紐づけてユーザの閲覧履歴Ａを生成する（Ｓ１８）。
【００８８】
サーバＡ２０は、携帯端末１０から送信されるログオフ要求を受信等するまで、ユーザのサイトＡにおける閲覧/行動履歴を生成する。
【００８９】
サーバＣ４０は、サーバＡ２０が広告配信処理を実行する前の所定のタイミングで、広告配信用の閲覧履歴を送信するための処理を開始する。
【００９０】
サーバＣ４０は、サーバＢ３０に対して閲覧履歴Ｂの取得要求を送信する（Ｓ１９）。サーバＢ３０は、サイトＢのユーザＩＤに紐づけられた閲覧履歴Ｂを、サーバＣ４０へ送信する（Ｓ２０）。サーバＣ４０は、サイトＢのユーザＩＤに紐づけられた閲覧履歴Ｂを、サイトＣのユーザＩＤに紐づけ直し、サイトＣのユーザＩＤに紐づけられた行動履歴Ｃとともに、サーバＡ２０へ送信する（Ｓ２１）。
【００９１】
サーバＡ２０は、サイトＣのユーザＩＤに紐づけられた閲覧履歴Ｂ及び行動履歴Ｃを受信すると、サイトＣのユーザＩＤに一意的に対応するサイトＡのユーザＩＤを特定し、閲覧履歴Ｂ及び行動履歴Ｃを当該特定したサイトＡのユーザＩＤに紐づけ直す（Ｓ２２）。そして、サイトＡのユーザＩＤに紐づく、閲覧履歴Ａ、閲覧履歴Ｂ及び行動履歴Ｃに基づいて、抽出条件を参照することにより、ユーザに配信する広告を広告情報ＤＢより抽出する（Ｓ２３）。サーバＡ２０は、例えばユーザがサイトＡにログインすると、抽出した広告を含む画面をユーザの携帯端末１０へ送信する（Ｓ２４）。
【００９２】
携帯端末１０は、サーバＡ２０より送信される広告を含む画面を受信すると、これをディスプレイ等に出力する（Ｓ２５）。
【００９３】
図７は、上述した広告配信処理に従い、ユーザの閲覧履歴と行動履歴に基づいて広告が配信される様子を説明するための図である。サイトＡの閲覧履歴のみを参照して広告を配信するケース（従来のケース）と、サイトＡとサイトＢ（Ｃ）の閲覧履歴及び行動履歴を参照して広告を配信するケース（本実施形態のケース）とが、比較して記載されている。
【００９４】
同図によれば、前者のケースでは、サイトＡの閲覧履歴のみに基づいて広告を配信しているため、「自動車（全般）の広告」、「不動者（全般）の広告」が配信される一方、釣りに関する広告は配信されていない。これに対し、後者のケースでは、「１ＢＯＸカーの広告」、「リゾート物件の広告」、「葉山の美味しいお店の広告」が配信されていることから、後者のケースでは、ユーザにより最適な広告が配信されていることがわかる。
【００９５】
以上、第１の実施形態によれば、サイトＡのユーザＩＤとサイトＢのユーザＩＤとが予めユーザによって関連付けられていることを利用して、サイトＢのユーザＩＤに紐づくユーザの閲覧履歴Ｂと、サイトＣのユーザＩＤ（＝サイトＢのユーザＩＤ）に紐づく行動履歴Ｃと、サイトＡの閲覧履歴Ａとを互いに関連づけて広告を抽出し配信することにしたので、サーバＡは、自己のサイトＡの閲覧履歴に加えて、他のサイトのユーザの履歴情報（閲覧・行動）をも利用して広告配信をすることが可能となる。その結果、ユーザに対してより最適化された広告情報を提供することができるようになる。
【００９６】
また、第１の実施形態によれば、サーバＡは、ページの閲覧履歴とユーザの行動履歴の両方を利用して広告配信をすることができるようになるので、ユーザの実生活における行動（特に、移動を伴う行動）を考慮したより最適な広告情報を抽出して提供することができるようになる。
【００９７】
［第２の実施形態］
［広告配信システムの構成］
図８は、第２の実施形態に係る広告配信システムの概略構成の一例を示す図である。第２の実施形態に係る広告配信システムが、第１の実施形態に係る広告配信システムと異なる主な点は、サイトＡのユーザＩＤとサイトＢのユーザＩＤとの関連づけを、第１の実施形態ではユーザが行っていたのに対し、第２の実施形態では、サイトＣが端末ＩＤを利用して行う点である。
【００９８】
具体的には、図８に示すように、サーバＡ２０とサーバＢ３０は、ログイン手段２０３及びログイン手段３０３が、オープンＩＤ機能を有していない点を除き、第１の実施形態に係るサーバＡ２０とサーバＢ３０と同等の構成である。
【００９９】
また、サーバＣ４０は、主に、サイトＣが、サイトＡ及びサイトＢの両方をログインサイトとして提供されるように構成されている点、及び、ＩＤ紐づけ手段４０２が、携帯端末１０より送信される端末ＩＤを利用して、サイトＡのユーザＩＤ及びサイトＢのユーザＩＤをサイトＣのユーザＩＤに関連付ける点を除いて、第１の実施形態に係るサーバＣ４０と同等の構成である。
【０１００】
図９は、サーバＣ４０の記憶手段４０８のデータ構成の一例を示す図である。図９（Ａ）は、ユーザＩＤＤＢが、サイトＡのユーザＩＤと、当該サイトＡのユーザＩＤに対応するサイトＣのユーザＩＤ（１）と、端末ＩＤと、を関連付けた関連情報を記憶する様子を示している。
【０１０１】
図９（Ｂ）は、ユーザＩＤＤＢが、サイトＢのユーザＩＤと、当該サイトＢのユーザＩＤに対応するサイトＣのユーザＩＤ（２）と、共通ユーザＩＤと、を関連付けた関連情報を記憶する様子を示している。なお、サイトＣのユーザＩＤ（１）（２）は、サーバＣ３０が、サイトＡのユーザＩＤ又はサイトＢのユーザＩＤと対応づけて任意に生成する識別情報である。一方、端末ＩＤは、例えば携帯電話端末を一意的に識別可能な識別情報（例えば、電話番号やＳＩＭカードの情報など）が該当する。
【０１０２】
図９（Ｃ）は、サーバＣ４０が、Ａサイトをログインサイトとした場合に生成する行動履歴の一例を示している。図９（Ｄ）は、サーバＣ４０が、Ｂサイトをログインサイトとした場合に生成する行動履歴の一例を示している。
【０１０３】
図９（Ｅ）は、サーバＡ２０にて、広告配信の際に利用されるユーザの履歴情報の一例を示している。同図によれば、サイトＡ及びＢの閲覧履歴と、サイトＡ（Ｃ）及びＢ（Ｃ）の行動履歴の両方が参照されることがわかる。
【０１０４】
［広告配信処理］
次に、上記のように構成される広告配信システムによる広告配信処理の流れについて、図１０を参照しながら説明する。なお、携帯端末１０は、各サーバとの間で通信を行う祭には、当該携帯端末の端末ＩＤを送信しているものとする。
【０１０５】
携帯端末１０は、サーバＢ３０に対してサイトＢのＩＤでログイン要求を送信する（Ｔ１）。サーバＢ３０は、ログイン要求を受け付けると、所定のログイン処理を実行する（Ｔ２）。なお、サーバＢ３０は、ログイン要求に用いたユーザＩＤと、携帯端末１０から送信される端末ＩＤとを関連づけた関連情報を所定の記憶領域に記憶する。
【０１０６】
ログインが成功した場合、携帯端末１０は、サイトＢの情報閲覧を要求し（Ｔ３）、サーバＢ３０は、サイトＢの情報を検索して検索結果を携帯端末１０に提供する（Ｔ４）。そして、サーバＢ３０は、サイトＢのユーザＩＤに紐づけて当該ユーザの閲覧履歴Ｂを生成する（Ｔ５）。
【０１０７】
また、携帯端末１０は、サイトＢを介してサイトＣの情報をサーバＣ４０に対して要求する（Ｔ６）。サーバＣ４０は、サイトＢのユーザＩＤに対応するサイトＣのユーザＩＤ（１）を生成し、端末ＩＤに関連付けて記憶する（Ｔ７）。そして、サイトＣの情報を検索して携帯端末１０に提供する（Ｔ８）。サーバＣ４０は、サイトＣのユーザＩＤに紐づけて当該ユーザの行動履歴Ｃを生成する（Ｔ９）。
【０１０８】
携帯端末１０は、サーバＡ２０に対して、サイトＡに対してサイトＡのユーザＩＤを用いたログイン要求を送信する（Ｔ１０）。サーバＡ２０は、ログイン要求を受け付けると、所定のログイン処理を実行する（Ｔ１１）。なお、サーバＡ２０は、ログイン要求に用いたユーザＩＤと、携帯端末１０から送信される端末ＩＤとを、関連づけて所定の記憶領域に記憶する。
【０１０９】
ログインが成功した場合、携帯端末１０は、サイトＡの情報閲覧を要求し（Ｔ１２）、サーバＡ２０は、サイトＡの情報を検索して検索結果を携帯端末１０に提供する（Ｔ１３）。そして、サーバＡ２０は、サイトＡのユーザＩＤに紐づけて当該ユーザの閲覧履歴Ａを生成する（Ｔ１４）。
【０１１０】
また、携帯端末１０は、サイトＡを介してサイトＣの情報をサーバＣ４０に対して要求する（Ｔ１５）。サーバＣ４０は、サイトＡのユーザＩＤに対応するサイトＣのユーザＩＤ（２）を生成し、端末ＩＤに関連づけて記憶する（Ｔ１６）。そして、サイトＣの情報を検索して携帯端末１０に提供する（Ｓ１７）。サーバＣ４０は、サイトＣのユーザＩＤに紐づけて当該ユーザの行動履歴Ｃを生成する（Ｔ１８）。
【０１１１】
サーバＣ４０は、サーバＡが広告を配信する前の所定のタイミングで、端末ＩＤに紐づけた閲覧履歴ＢをサーバＢ３０に要求し（Ｔ１９）、サーバＢ３０は、サイトＢのユーザＩＤに対応する端末ＩＤに紐づけた状態で閲覧履歴ＢをサーバＣ４０へ送信する（Ｔ２０）。サーバＣ４０は、閲覧履歴Ｂを、関連情報を参照することにより、端末ＩＤに対応するサイトＣのユーザＩＤ（１）に紐づける（Ｔ２１）。
【０１１２】
サーバＣ４０は、サイトＣのユーザＩＤ（１）と（２）に紐づく行動履歴Ａ，Ｂおよび閲覧履歴Ｂを、関連情報を参照することにより、端末ＩＤに紐づけた状態でサーバＡ２０へ送信する（Ｔ２３）。
【０１１３】
サーバＡ２０は、端末ＩＤをサイトＡのユーザＩＤに変換し、行動履歴Ａ，Ｂおよび閲覧履歴ＢをサイトＡのユーザＩＤに紐づける（Ｔ２４）。そして、サイトＡのユーザＩＤに紐づく、閲覧履歴Ａ、閲覧履歴Ｂ、行動履歴Ａ及び行動履歴Ｂに基づいて、抽出条件を参照し、広告を抽出する（Ｔ２５）。
【０１１４】
サーバＡ２０は、例えばユーザがサイトＡにログインしている場合に、抽出した広告を含むウェブページを携帯端末１０へ配信する（Ｔ２６）。
【０１１５】
携帯端末１０は、広告が含まれるウェブページを画面に表示する（Ｔ２７）。
【０１１６】
以上、第２の実施形態によれば、端末ＩＤを利用してサイトＡ及びサイトＢのユーザＩＤを関連づけることにより、サイトＡ及びＢの閲覧履歴とサイトＡ（Ｃ）及びＢ（Ｃ）の行動履歴の両方を参照して広告を抽出し配信することにしたので、サーバＡは、自己のサイトＡの閲覧履歴に加えて、他のサイトのユーザの履歴情報（閲覧・行動）をも利用して広告配信をすることが可能となる。その結果、ユーザに対してより最適化された広告情報を提供することができるようになる。
【０１１７】
また、第２の実施形態によれば、サーバＡは、ページの閲覧履歴とユーザの行動履歴の両方を利用して広告配信をすることができるようになるので、ユーザの実生活における行動（特に、移動を伴う行動）を考慮したより最適な広告情報を抽出して提供することができるようになる。
【０１１８】
［その他の実施形態］
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【０１１９】
（１）上記実施形態では、サーバＣ４０が、サイトＢの閲覧履歴ＢをサーバＡ２０へ送信する場合について説明したが、サイトＣの行動履歴のみを送信するようにしてもよい。また、サーバＡ２０は、コンテンツ配信の際は、サイトＣの行動履歴とサイトＡの閲覧履歴のみを活用してコンテンツの抽出を行い、当該抽出したコンテンツを配信するようにしてもよい。また、サイトＣのログインサイトは複数あってもよく、例えば、サイトＢ以外のサイトＤ、サイトＥをログインサイトとしてサイトＣを提供する場合には、サイトＢをログインサイトとした場合の行動履歴Ｃ１と、サイトＤをログインサイトとした場合の行動履歴Ｃ２、サイトＥをログインサイトとした場合の行動履歴Ｃ３等、全ての情報を活用してコンテンツ抽出を行うことによりコンテンツ配信を行うほか、例えば、サイトＡの閲覧履歴、行動履歴Ｃ１及び行動履歴Ｃ３のみのように、一部の情報を組合せてコンテンツの抽出を行うようにしてもよい。また、サーバＣ４０は、サイトＣがログイン処理を実行し、他のサイトを介さずに行動履歴を生成するようにしてもよい。この場合には、サイトＣのユーザＩＤとサイトＡのユーザＩＤと、例えば端末ＩＤにより関連付けることができる。
【０１２０】
（２）また、各サイトにおいて、ログインしていなくても使用できるサービスがある場合には、ログイン時のユーザＩＤを端末装置１０に記憶しておき、非ログイン時には、当該記憶しておいたユーザＩＤを使用して閲覧履歴や行動履歴を生成するようにしてもよい。
【０１２１】
（３）また、上記実施形態では、閲覧履歴や行動履歴を収集する際の収集元となる携帯端末と、広告等のコンテンツを配信する配信先である携帯端末とが、同一である場合について説明したが、収集元と配信先の端末装置が異なるように構成してもよい。例えば、ユーザの携帯端末より収集した位置情報に基づいて抽出したコンテンツを、当該ユーザがＰＣでサイトを閲覧している時に配信するようにしてもよい。また、ＧＰＳによる現在位置測位機能を有しないＰＣ等のユーザの端末において収集された情報、例えば、地図の閲覧履歴、ＰＯＩのお気に入り登録情報などを活用して当該ユーザの行動履歴情報を生成し、コンテンツを抽出する際に利用するようにしてもよい。
【符号の説明】
【０１２２】
１００・・・広告配信システム、１０・・・携帯端末、１０１・・・主制御手段、１０２・・・通信手段、１０３・・・表示手段、１０４・・・操作手段、１０５・・・記憶手段、１０６・・・現在位置測位手段、１０７・・・測位情報送信手段、２０１・・・主制御手段、２０３・・・ログイン手段、２０４・・・情報提供手段、２０５・・・閲覧履歴生成手段、２０６・・・他サイト履歴取得手段、２０７・・・広告抽出手段、２０８・・・広告配信手段、２０９・・・通信手段、２１０・・・記憶手段、３０１・・・主制御手段、３０３・・・ログイン手段、３０４・・・情報提供手段、３０５・・・閲覧履歴生成手段、３０６・・・閲覧履歴送信手段、３０７・・・通信手段、３０８・・・記憶手段、４０１・・・主制御手段、４０２・・・ID紐付手段、４０３・・・情報提供手段、４０４・・・行動履歴生成手段、４０５・・・ログインサイト閲覧履歴取得手段、４０６・・・他サイト履歴送信手段
４０７・・・通信手段、４０８・・・記憶手段
【図１】
2012014652.tif 000003
【図２】
2012014652.tif 000004
【図３】
2012014652.tif 000005
【図４】
2012014652.tif 000006
【図５】
2012014652.tif 000007
【図６】
2012014652.tif 000008
【図７】
2012014652.tif 000009
【図８】
2012014652.tif 000010
【図９】
2012014652.tif 000011
【図１０】
2012014652.tif 000012